(57)【要約】【課題】可撓管の端部を配置できるとともにケーブルを位置決めでき、更に金属屋根やスレート屋根のように異なる種類の屋根に対応させることができる太陽電池等のケーブル引込ユニット及び太陽電池等のケーブル引込ユニットの施工方法を提供すること。【解決手段】本発明の太陽電池等のケーブル引込ユニットは、一対の支持板１５の間には、基台基板１１に取り付けた基台側ケーブル把持部材１６と、カバー天面材２１に取り付けたカバー側ケーブル把持部材２６とを備え、カバー２０には、基台フランジ板１３に対向させた覆い材２４を備え、基台側ケーブル把持部材１６とカバー側ケーブル把持部材２６とでケーブル３１を挟み込み、基台フランジ板１３と覆い材２４との間に、ケーブル３１を収める可撓管３０の端部を配置することを特徴とする。【選択図】        図１
2018053707.tif 000002
【特許請求の範囲】
【請求項１】
建造物の屋根頂部に配置される棟包の外表面に当接させる基台と、
前記基台の上方に配置するカバーと
からなり、
前記基台は、
前記棟包の上面に当接させる基台基板と、
前記基台基板の下端から垂下させる基台側板と、
前記基台側板の下端から延出させる基台フランジ板と、
前記基台基板に形成したケーブル導入用開口と、
前記ケーブル導入用開口の側方に設けた一対の支持板と
を備え、
前記カバーは、
一対の前記支持板に当接するカバー天面材と、
前記カバー天面材の両側端から前記基台基板の方向に延出するカバー壁面材と
を備え、
太陽電池パネルやアンテナなどに付属するケーブルを、野地板に形成した頂部隙間から屋内に導く太陽電池等のケーブル引込ユニットであって、
一対の前記支持板の間には、
前記基台基板に取り付けた基台側ケーブル把持部材と、
前記カバー天面材に取り付けたカバー側ケーブル把持部材と
を備え、
前記カバーには、
前記基台フランジ板に対向させた覆い材を備え、
前記基台側ケーブル把持部材と前記カバー側ケーブル把持部材とで前記ケーブルを挟み込み、
前記基台フランジ板と前記覆い材との間に、前記ケーブルを収める可撓管の端部を配置する
ことを特徴とする太陽電池等のケーブル引込ユニット。
【請求項２】
前記カバーには、
前記カバー天面材の下端から前記基台フランジ板の方向に延出するカバー側面材を備え、
前記カバー側面材には、前記カバー側面材の下端まで延びる一対の縦方向スリットを設け、
前記覆い材が、一対の前記縦方向スリットの間の前記カバー側面材によって形成される
ことを特徴とする請求項１に記載の太陽電池等のケーブル引込ユニット。
【請求項３】
前記カバー側面材には、前記カバー天面材の下端から所定距離を有する位置に、一対の横方向スリットを設け、
一対の前記縦方向スリットの上端を、一対の前記横方向スリットの側方端部に連続して設けた
ことを特徴とする請求項２に記載の太陽電池等のケーブル引込ユニット。
【請求項４】
前記横方向スリットの前記側方端部を中央端部より低位置として、一対の前記横方向スリットを前記カバー天面材の前記下端に対してそれぞれ傾斜させた
ことを特徴とする請求項３に記載の太陽電池等のケーブル引込ユニット。
【請求項５】
一対の前記縦方向スリットの間隔を、一対の前記支持板の間隔よりも狭くした
ことを特徴とする請求項２から請求項４のいずれか１項に記載の太陽電池等のケーブル引込ユニット。
【請求項６】
前記建造物が、一方の第１屋根材と他方の第２屋根材とからなる両流れ屋根であり、
前記基台基板は、前記第１屋根材に対応する第１基台基板と、前記第２屋根材に対応する第２基台基板とからなり、
前記支持板は、前記第１基台基板に設けた第１支持板と、前記第２基台基板に設けた第２支持板とからなり、
前記カバー天面材は、前記第１屋根材に対応する第１カバー天面材と、前記第２屋根材に対応する第２カバー天面材とからなり、
前記カバー壁面材は、前記第１カバー天面材から延出する第１カバー壁面材と、前記第２カバー天面材から延出する第２カバー壁面材とからなり、
前記第１基台基板と前記第２基台基板とは、基台基板折り曲げ部によって連接し、
前記第１カバー天面材と前記第２カバー天面材とは、カバー天面材折り曲げ部によって連接し、
前記第１支持板の前記第２支持板側の第１支持板端面と、前記第２支持板の前記第１支持板側の第２支持板端面とは互いに重なり合い、
前記第１カバー壁面材の前記第２カバー壁面材側の第１カバー壁面端面と、前記第２カバー壁面材の前記第１カバー壁面材側の第２カバー壁面端面とは互いに重なり合う
ことを特徴とする請求項１から請求項５のいずれか１項に記載の太陽電池等のケーブル引込ユニット。
【請求項７】
前記建造物が、一方の第１屋根材と他方の第２屋根材とからなる両流れ屋根であり、
前記カバー天面材は、前記第１屋根材に対応する第１カバー天面材と、前記第２屋根材に対応する第２カバー天面材とからなり、
前記カバー側面材は、前記第１カバー天面材から延出する第１カバー側面材と、前記第２カバー天面材から延出する第２カバー側面材とからなる
ことを特徴とする請求項２から請求項５のいずれか１項に記載の太陽電池等のケーブル引込ユニット。
【請求項８】
前記基台側ケーブル把持部材及び前記カバー側ケーブル把持部材の少なくとも一方を、発泡弾性部材で形成し、
前記発泡弾性部材には、複数のスリットを形成した
ことを特徴とする請求項１から請求項７のいずれか１項に記載の太陽電池等のケーブル引込ユニット。
【請求項９】
前記基台側ケーブル把持部材として、
外側基台側ケーブル把持部材と、内側基台側ケーブル把持部材とを設け、
前記外側基台側ケーブル把持部材を前記基台基板の下端側に設け、
前記内側基台側ケーブル把持部材をケーブル導入用開口側に設け、
前記カバー側ケーブル把持部材を、前記外側基台側ケーブル把持部材に対向する位置に配置した
ことを特徴とする請求項１から請求項７のいずれか１項に記載の太陽電池等のケーブル引込ユニット。
【請求項１０】
前記ケーブルを押さえ込んだ状態で、前記内側基台側ケーブル把持部材の高さ寸法を、前記外側基台側ケーブル把持部材の高さ寸法より大きくした
ことを特徴とする請求項９に記載の太陽電池等のケーブル引込ユニット。
【請求項１１】
前記ケーブルを挟み込んだ状態で、前記カバー側ケーブル把持部材の高さ寸法を、前記外側基台側ケーブル把持部材の高さ寸法より大きくした
ことを特徴とする請求項９又は請求項１０に記載の太陽電池等のケーブル引込ユニット。
【請求項１２】
前記カバー側ケーブル把持部材の奥行き寸法を、前記外側基台側ケーブル把持部材の奥行き寸法より大きくした
ことを特徴とする請求項９から請求項１１のいずれか１項に記載の太陽電池等のケーブル引込ユニット。
【請求項１３】
前記ケーブルの直径をｃ、前記基台基板から前記カバー天面材までの内面高さ寸法をｈ、前記外側基台側ケーブル把持部材の無負荷状態での高さ寸法をｈａ、前記内側基台側ケーブル把持部材の無負荷状態での高さ寸法をｈｂ、前記カバー側ケーブル把持部材の無負荷状態での高さ寸法をｈｃとした場合に、
ｈａをｈの１／４以上で５／４以下の範囲の寸法とし、
ｈｂを（ｈ−ｃ）以上で（ｈ−ｃ）×４以下の範囲の寸法とし、
ｈｃをｈの２／４以上で１０／４以下の範囲の寸法とした
ことを特徴とする請求項９から請求項１２のいずれか１項に記載の太陽電池等のケーブル引込ユニット。
【請求項１４】
前記カバー側ケーブル把持部材として、
外側カバー側ケーブル把持部材と、内側カバー側ケーブル把持部材とを設け、
前記外側カバー側ケーブル把持部材を前記カバー天面材の下端側に設け、
前記内側カバー側ケーブル把持部材をケーブル導入用開口側に設け、
前記外側カバー側ケーブル把持部材をスリットの無い発泡弾性部材で形成し、
前記内側カバー側ケーブル把持部材を複数のスリットの有る前記発泡弾性部材で形成した
ことを特徴とする請求項９から請求項１３のいずれか１項に記載の太陽電池等のケーブル引込ユニット。
【請求項１５】
建造物の屋根頂部に配置される棟包の外表面に当接させる基台と、前記基台の上方に配置するカバーとからなり、前記基台にはケーブル導入用開口と基台側ケーブル把持部材とを備え、前記カバーには覆い材とカバー天面材に取り付けたカバー側ケーブル把持部材とを備えた太陽電池等のケーブル引込ユニットを用い、
太陽電池パネルやアンテナなどに付属するケーブルを、野地板に形成した頂部隙間から屋内に導く太陽電池等のケーブル引込ユニットの施工方法であって、
前記野地板に前記頂部隙間を形成する野地開口形成工程と、
前記野地開口形成工程の後に、前記頂部隙間の外周を覆う捨水切を施工する捨水切施工工程と、
前記捨水切施工工程の後に、前記頂部隙間の両側に貫板を留め付ける貫板施工工程と、
前記貫板施工工程の後に、前記頂部隙間を除き、前記貫板に前記棟包を被せて固定する棟包施工工程と、
前記基台を前記頂部隙間の上方に配置し、前記基台を前記棟包の外表面に当接させる基台施工工程と、
前記基台施工工程の後に、前記ケーブル導入用開口と前記頂部隙間とに前記ケーブルを入線する入線工程と、
前記入線工程の後に、前記カバーを前記基台に取り付けるカバー固定工程と
を有し、
前記カバー固定工程では、
前記ケーブルを前記基台側ケーブル把持部材と前記カバー側ケーブル把持部材とで挟み込み、
前記ケーブルを収める可撓管の端部を前記基台と前記覆い材との間に配置する
ことを特徴とする太陽電池等のケーブル引込ユニットの施工方法。
【請求項１６】
前記カバーには、
前記カバー天面材の下端から基台フランジ板の方向に延出するカバー側面材を備え、
前記カバー側面材には、前記カバー側面材の下端まで延びる一対の縦方向スリットを設けており、
前記カバー固定工程では、
一対の前記縦方向スリットの間の前記カバー側面材を折り曲げて前記覆い材とし、
前記覆い材の両端部を前記可撓管の方向に折り曲げる
ことを特徴とする請求項１５に記載の太陽電池等のケーブル引込ユニットの施工方法。
【請求項１７】
建造物の屋根頂部に配置される棟包の外表面に当接させる基台と、前記基台の上方に配置するカバーとからなり、前記基台にはケーブル導入用開口を備えた太陽電池等のケーブル引込ユニットを用い、
太陽電池パネルやアンテナなどに付属するケーブルを、野地板に形成した頂部隙間から屋内に導く太陽電池等のケーブル引込ユニットの施工方法であって、
前記野地板に前記頂部隙間を形成する野地開口形成工程と、
前記野地開口形成工程の後に、前記頂部隙間の外周を覆う捨水切を施工する捨水切施工工程と、
捨水切施工工程の後に、前記頂部隙間の両側に貫板を留め付ける貫板施工工程と、
前記貫板施工工程の後に、前記頂部隙間を除き、前記貫板に前記棟包を被せて固定する棟包施工工程と、
前記基台を前記頂部隙間の上方に配置し、前記基台を前記棟包の外表面に当接させる基台施工工程と、
前記基台施工工程の後に、前記ケーブル導入用開口と前記頂部隙間とに前記ケーブルを入線する入線工程と、
前記入線工程の後に、前記カバーを前記基台に取り付けるカバー固定工程と
を有し、
前記野地開口形成工程では、前記頂部隙間の前記屋根頂部の稜線方向隙間寸法を、前記ケーブル導入用開口の前記屋根頂部の稜線方向開口寸法より大きく形成する
ことを特徴とする太陽電池等のケーブル引込ユニットの施工方法。
【発明の詳細な説明】
【技術分野】
【０００１】
本発明は、太陽電池パネルやアンテナなどに付属するケーブルを、野地板に形成した頂部隙間から屋内に導く太陽電池等のケーブル引込ユニット及び太陽電池等のケーブル引込ユニットの施工方法に関する。
【背景技術】
【０００２】
例えば特許文献１では、建造物の屋根頂部に配置される棟包の外表面に当接させる基台と、この基台の上方に配置するカバーとからなる配線格納ボックスを提案している。
また、特許文献２では、建造物の屋根頂部に配置される棟包の間に、ケーブル挿通用孔を備えたケーブル棟包継ぎ役物を設けている。
特許文献３及び特許文献４では、建造物の屋根頂部に配置される換気棟を利用して配線を引き込むことを提案している。
特許文献５では、太陽電池パネルのケーブルを、野地板に形成した頂部隙間から屋内に導く配線引込装置を提案し、この配線引込装置は、基台側には発泡性弾性樹脂材からなる基台配線支持部を、カバー側には発泡性弾性樹脂材からなるカバー配線支持部を設け、基台配線支持部とカバー配線支持部とで配線を挟持することで、配線を伝って雨水が流入することを防止している。
【先行技術文献】
【特許文献】
【０００３】
【特許文献１】特開２０１５−２１８４５３号公報
【特許文献２】特開平１１−８１５４２号公報
【特許文献３】特開２０１４−５７０７号公報
【特許文献４】特開平８−９３１５９号公報
【特許文献５】特開２０１４−８８７３１号公報
【発明の概要】
【発明が解決しようとする課題】
【０００４】
特許文献１では、太陽電池パネルの配線は、屋根面に直接配設し、配線格納ボックスに導いている。しかし、屋根面は８０度を超える温度になるため、この屋根面に直接配線すると、配線を劣化させ好ましくない。
これに対して特許文献２では、屋根面では可撓管内にケーブルを収め、コネクタを介して可撓管をケーブル棟包継ぎ役物に接続している。しかし、特許文献２のように、ケーブル挿通用孔のそれぞれにコネクタを介して可撓管を接続する場合には、ケーブル数が増えた場合に対応が難しい。特に近年では、太陽電池パネルの能力が向上したことに伴い、北面の屋根にも太陽電池パネルを設置することもあり、多数のケーブルに対応できることが望まれる。
特許文献３及び特許文献４では、換気棟を設置することが前提となってしまう。
特許文献５は、特許文献３や特許文献４のように換気棟を用いるものではないが、換気棟に連続して配置するものである。従って、特許文献５の基台は、特許文献１のように棟包の外表面に当接させるものではなく、基台及びカバーは棟包の内方空間に位置させる構成であるため、金属屋根やスレート屋根のように異なる種類の屋根に対応させることができない。また、特許文献５においても、特許文献１と同様に屋根面に直接配線するため、配線を劣化させてしまう。
【０００５】
そこで本発明は、可撓管の端部を配置できるとともにケーブルを位置決めでき、更に金属屋根やスレート屋根のように異なる種類の屋根に対応させることができる太陽電池等のケーブル引込ユニット及び太陽電池等のケーブル引込ユニットの施工方法を提供することを目的とする。
【課題を解決するための手段】
【０００６】
請求項１記載の本発明の太陽電池等のケーブル引込ユニットは、建造物の屋根頂部に配置される棟包１の外表面に当接させる基台１０と、前記基台１０の上方に配置するカバー２０とからなり、前記基台１０は、前記棟包１の上面に当接させる基台基板１１と、前記基台基板１１の下端から垂下させる基台側板１２と、前記基台側板１２の下端から延出させる基台フランジ板１３と、前記基台基板１１に形成したケーブル導入用開口１４と、前記ケーブル導入用開口１４の側方に設けた一対の支持板１５とを備え、前記カバー２０は、一対の前記支持板１５に当接するカバー天面材２１と、前記カバー天面材２１の両側端から前記基台基板１１の方向に延出するカバー壁面材２２とを備え、太陽電池パネルやアンテナなどに付属するケーブル３１を、野地板３に形成した頂部隙間５から屋内に導く太陽電池等のケーブル引込ユニットであって、一対の前記支持板１５の間には、前記基台基板１１に取り付けた基台側ケーブル把持部材１６と、前記カバー天面材２１に取り付けたカバー側ケーブル把持部材２６とを備え、前記カバー２０には、前記基台フランジ板１３に対向させた覆い材２４を備え、前記基台側ケーブル把持部材１６と前記カバー側ケーブル把持部材２６とで前記ケーブル３１を挟み込み、前記基台フランジ板１３と前記覆い材２４との間に、前記ケーブル３１を収める可撓管３０の端部を配置することを特徴とする。
請求項２記載の本発明は、請求項１に記載の太陽電池等のケーブル引込ユニットにおいて、前記カバー２０には、前記カバー天面材２１の下端２１ａから前記基台フランジ板１３の方向に延出するカバー側面材２３を備え、前記カバー側面材２３には、前記カバー側面材２３の下端まで延びる一対の縦方向スリット２５ｂを設け、前記覆い材２４が、一対の前記縦方向スリット２５ｂの間の前記カバー側面材２３によって形成されることを特徴とする。
請求項３記載の本発明は、請求項２に記載の太陽電池等のケーブル引込ユニットにおいて、前記カバー側面材２３には、前記カバー天面材２１の下端２１ａから所定距離ｋを有する位置に、一対の横方向スリット２５ｃを設け、一対の前記縦方向スリット２５ｂの上端を、一対の前記横方向スリット２５ｃの側方端部に連続して設けたことを特徴とする。
請求項４記載の本発明は、請求項３に記載の太陽電池等のケーブル引込ユニットにおいて、前記横方向スリット２５ｃの前記側方端部を中央端部より低位置として、一対の前記横方向スリット２５ｃを前記カバー天面材２１の前記下端２１ａに対してそれぞれ傾斜させたことを特徴とする。
請求項５記載の本発明は、請求項２から請求項４のいずれか１項に記載の太陽電池等のケーブル引込ユニットにおいて、一対の前記縦方向スリット２５ｂの間隔を、一対の前記支持板１５の間隔よりも狭くしたことを特徴とする。
請求項６記載の本発明は、請求項１から請求項５のいずれか１項に記載の太陽電池等のケーブル引込ユニットにおいて、前記建造物が、一方の第１屋根材と他方の第２屋根材とからなる両流れ屋根であり、前記基台基板１１は、前記第１屋根材に対応する第１基台基板１１Ｘと、前記第２屋根材に対応する第２基台基板１１Ｙとからなり、前記支持板１５は、前記第１基台基板１１Ｘに設けた第１支持板１５Ｘと、前記第２基台基板１１Ｙに設けた第２支持板１５Ｙとからなり、前記カバー天面材２１は、前記第１屋根材に対応する第１カバー天面材２１Ｘと、前記第２屋根材に対応する第２カバー天面材２１Ｙとからなり、前記カバー壁面材２２は、前記第１カバー天面材２１Ｘから延出する第１カバー壁面材２２Ｘと、前記第２カバー天面材２１Ｙから延出する第２カバー壁面材２２Ｙとからなり、前記第１基台基板１１Ｘと前記第２基台基板１１Ｙとは、基台基板折り曲げ部１１Ｚによって連接し、前記第１カバー天面材２１Ｘと前記第２カバー天面材２１Ｙとは、カバー天面材折り曲げ部２１Ｚによって連接し、前記第１支持板１５Ｘの前記第２支持板１５Ｙ側の第１支持板端面１５ＸＺと、前記第２支持板１５Ｙの前記第１支持板１５Ｘ側の第２支持板端面１５ＹＺとは互いに重なり合い、前記第１カバー壁面材２２Ｘの前記第２カバー壁面材２２Ｙ側の第１カバー壁面端面２２ＸＺと、前記第２カバー壁面材２２Ｙの前記第１カバー壁面材２２Ｘ側の第２カバー壁面端面２２ＹＺとは互いに重なり合うことを特徴とする。
請求項７記載の本発明は、請求項２から請求項５のいずれか１項に記載の太陽電池等のケーブル引込ユニットにおいて、前記建造物が、一方の第１屋根材と他方の第２屋根材とからなる両流れ屋根であり、前記カバー天面材２１は、前記第１屋根材に対応する第１カバー天面材２１Ｘと、前記第２屋根材に対応する第２カバー天面材２１Ｙとからなり、前記カバー側面材２３は、前記第１カバー天面材２１Ｘから延出する第１カバー側面材２３Ｘと、前記第２カバー天面材２１Ｙから延出する第２カバー側面材２３Ｙとからなることを特徴とする。
請求項８記載の本発明は、請求項１から請求項７のいずれか１項に記載の太陽電池等のケーブル引込ユニットにおいて、前記基台側ケーブル把持部材１６及び前記カバー側ケーブル把持部材２６の少なくとも一方を、発泡弾性部材で形成し、前記発泡弾性部材には、複数のスリットを形成したことを特徴とする。
請求項９記載の本発明は、請求項１から請求項７のいずれか１項に記載の太陽電池等のケーブル引込ユニットにおいて、前記基台側ケーブル把持部材１６として、外側基台側ケーブル把持部材１６ａと、内側基台側ケーブル把持部材１６ｂとを設け、前記外側基台側ケーブル把持部材１６ａを前記基台基板１１の下端側に設け、前記内側基台側ケーブル把持部材１６ｂをケーブル導入用開口１４側に設け、前記カバー側ケーブル把持部材２６ｃを、前記外側基台側ケーブル把持部材１６ａに対向する位置に配置したことを特徴とする。
請求項１０記載の本発明は、請求項９に記載の太陽電池等のケーブル引込ユニットにおいて、前記ケーブル３１を押さえ込んだ状態で、前記内側基台側ケーブル把持部材１６ｂの高さ寸法ｈｂを、前記外側基台側ケーブル把持部材１６ａの高さ寸法ｈａより大きくしたことを特徴とする。
請求項１１記載の本発明は、請求項９又は請求項１０に記載の太陽電池等のケーブル引込ユニットにおいて、前記ケーブル３１を挟み込んだ状態で、前記カバー側ケーブル把持部材２６ｃの高さ寸法ｈｃを、前記外側基台側ケーブル把持部材１６ａの高さ寸法ｈａより大きくしたことを特徴とする。
請求項１２記載の本発明は、請求項９から請求項１１のいずれか１項に記載の太陽電池等のケーブル引込ユニットにおいて、前記カバー側ケーブル把持部材２６ｃの奥行き寸法ｗｃを、前記外側基台側ケーブル把持部材１６ａの奥行き寸法ｗａより大きくしたことを特徴とする。
請求項１３記載の本発明は、請求項９から請求項１２のいずれか１項に記載の太陽電池等のケーブル引込ユニットにおいて、前記ケーブル３１の直径をｃ、前記基台基板１１から前記カバー天面材２１までの内面高さ寸法をｈ、前記外側基台側ケーブル把持部材１６ａの無負荷状態での高さ寸法をｈａ、前記内側基台側ケーブル把持部材１６ｂの無負荷状態での高さ寸法をｈｂ、前記カバー側ケーブル把持部材２６ｃの無負荷状態での高さ寸法をｈｃとした場合に、ｈａをｈの１／４以上で５／４以下の範囲の寸法とし、ｈｂを（ｈ−ｃ）以上で（ｈ−ｃ）×４以下の範囲の寸法とし、ｈｃをｈの２／４以上で１０／４以下の範囲の寸法としたことを特徴とする。
請求項１４記載の本発明は、請求項９から請求項１３のいずれか１項に記載の太陽電池等のケーブル引込ユニットにおいて、前記カバー側ケーブル把持部材２６として、外側カバー側ケーブル把持部材２６ｄと、内側カバー側ケーブル把持部材２６ｅとを設け、前記外側カバー側ケーブル把持部材２６ｄを前記カバー天面材２１の下端２１ａ側に設け、前記内側カバー側ケーブル把持部材２６ｅをケーブル導入用開口１４側に設け、前記外側カバー側ケーブル把持部材２６ｄをスリットの無い発泡弾性部材で形成し、前記内側カバー側ケーブル把持部材２６ｅを複数のスリットの有る前記発泡弾性部材で形成したことを特徴とする。
請求項１５記載の本発明の太陽電池等のケーブル引込ユニットの施工方法は、建造物の屋根頂部に配置される棟包１の外表面に当接させる基台１０と、前記基台１０の上方に配置するカバー２０とからなり、前記基台１０にはケーブル導入用開口１４と基台側ケーブル把持部材１６とを備え、前記カバー２０には覆い材２４とカバー天面材２１に取り付けたカバー側ケーブル把持部材２６とを備えた太陽電池等のケーブル引込ユニットを用い、太陽電池パネルやアンテナなどに付属するケーブル３１を、野地板３に形成した頂部隙間５から屋内に導く太陽電池等のケーブル引込ユニットの施工方法であって、前記野地板３に前記頂部隙間５を形成する野地開口形成工程と、前記野地開口形成工程の後に、前記頂部隙間５の外周を覆う捨水切４０を施工する捨水切施工工程と、前記捨水切施工工程の後に、前記頂部隙間５の両側に貫板７を留め付ける貫板施工工程と、前記貫板施工工程の後に、前記頂部隙間５を除き、前記貫板７に前記棟包１を被せて固定する棟包施工工程と、前記基台１０を前記頂部隙間５の上方に配置し、前記基台１０を前記棟包１の外表面に当接させる基台施工工程と、前記基台施工工程の後に、前記ケーブル導入用開口１４と前記頂部隙間５とに前記ケーブル３１を入線する入線工程と、前記入線工程の後に、前記カバー２０を前記基台１０に取り付けるカバー固定工程とを有し、前記カバー固定工程では、前記ケーブル３１を前記基台側ケーブル把持部材１６と前記カバー側ケーブル把持部材２６とで挟み込み、前記ケーブル３１を収める可撓管３０の端部を前記基台１０と前記覆い材２４との間に配置することを特徴とする。
請求項１６記載の本発明は、請求項１５に記載の太陽電池等のケーブル引込ユニットの施工方法において、前記カバー２０には、前記カバー天面材２１の下端２１ａから基台フランジ板１３の方向に延出するカバー側面材２３を備え、前記カバー側面材２３には、前記カバー側面材２３の下端まで延びる一対の縦方向スリット２５ｂを設けており、前記カバー固定工程では、一対の前記縦方向スリット２５ｂの間の前記カバー側面材２３を折り曲げて前記覆い材２４とし、前記覆い材２４の両端部を前記可撓管３０の方向に折り曲げることを特徴とする。
請求項１７記載の本発明の太陽電池等のケーブル引込ユニットの施工方法は、建造物の屋根頂部に配置される棟包１の外表面に当接させる基台１０と、前記基台１０の上方に配置するカバー２０とからなり、前記基台１０にはケーブル導入用開口１４を備えた太陽電池等のケーブル引込ユニットを用い、太陽電池パネルやアンテナなどに付属するケーブル３１を、野地板３に形成した頂部隙間５から屋内に導く太陽電池等のケーブル引込ユニットの施工方法であって、前記野地板３に前記頂部隙間５を形成する野地開口形成工程と、前記野地開口形成工程の後に、前記頂部隙間５の外周を覆う捨水切４０を施工する捨水切施工工程と、捨水切施工工程の後に、前記頂部隙間５の両側に貫板７を留め付ける貫板施工工程と、前記貫板施工工程の後に、前記頂部隙間５を除き、前記貫板７に前記棟包１を被せて固定する棟包施工工程と、前記基台１０を前記頂部隙間５の上方に配置し、前記基台１０を前記棟包１の外表面に当接させる基台施工工程と、前記基台施工工程の後に、前記ケーブル導入用開口１４と前記頂部隙間５とに前記ケーブル３１を入線する入線工程と、前記入線工程の後に、前記カバー２０を前記基台１０に取り付けるカバー固定工程とを有し、前記野地開口形成工程では、前記頂部隙間５の前記屋根頂部の稜線方向隙間寸法５Ｗを、前記ケーブル導入用開口１４の前記屋根頂部の稜線方向開口寸法より大きく形成することを特徴とする。
【発明の効果】
【０００７】
本発明の太陽電池等のケーブル引込ユニットによれば、基台側ケーブル把持部材とカバー側ケーブル把持部材とでケーブルを挟み込むことで、ケーブルを確実に位置決めできるとともに雨水の流入を遮断でき、止水性を高めることができる。
また、本発明の太陽電池等のケーブル引込ユニットによれば、基台フランジ板を基台基板に対して低位置としているため、基台フランジ板と覆い材との間に配置される可撓管の端部は、屋根面に近い位置となり、カバー天面材より高い位置に突出することを少なくでき、風雨に対して可撓管を保護しやすく、またケーブルを伝って雨水が流入することを防止できる。
また、本発明の太陽電池等のケーブル引込ユニットは、基台を棟包の外表面に当接させ、基台の上方にカバーを配置するもので、ケーブル引込ユニットを棟包の上方に配置するため、金属屋根やスレート屋根のように異なる種類の屋根に対応させることができる。
また、本発明の太陽電池等のケーブル引込ユニットの施工方法によれば、カバーを基台に取り付ける工程で、可撓管の端部を配置してケーブルを挟み込むため、止水のための複雑な作業を必要とせず、作業性に優れている。
また、本発明の太陽電池等のケーブル引込ユニットの施工方法によれば、ケーブルが頂部隙間の側面に当たることを少なくし、屋内にケーブルをスムーズに導くことができるとともに、ケーブル導入用開口の屋根頂部の稜線方向開口寸法を小さくできるため、ケーブル引込ユニットの稜線方向寸法を小さくでき、ケーブル引込ユニットの稜線方向の撓みが少なく、ケーブル引込ユニットの止水性能を高めることができる。
【図面の簡単な説明】
【０００８】
【図１】本発明の一実施例による太陽電池等のケーブル引込ユニットを側方から見た斜視図
【図２】同ケーブル引込ユニットを上方から見た斜視図
【図３】同ケーブル引込ユニットを取り外した状態での建造物の屋根頂部の要部斜視図
【図４】本実施例による太陽電池等のケーブル引込ユニットの基台を上方から見た斜視図
【図５】同基台を図４とは異なる方向から見た斜視図
【図６】同基台を側方から見た斜視図
【図７】同基台の裏側の斜視図
【図８】図７と異なる方向から見た裏側の斜視図
【図９】本実施例による太陽電池等のケーブル引込ユニットに用いる基台側ケーブル把持部材の斜視図
【図１０】同基台側ケーブル把持部材の説明図
【図１１】本実施例による太陽電池等のケーブル引込ユニットのカバーを上方から見た斜視図
【図１２】同カバーを図１１とは異なる方向から見た斜視図
【図１３】同カバーの裏側の斜視図
【図１４】本実施例による太陽電池等のケーブル引込ユニットの施工方法
【図１５】本実施例による太陽電池等のケーブル引込ユニットの施工方法
【図１６】本実施例による太陽電池等のケーブル引込ユニットを、両流れの金属立平屋根に施工した状態を示す断面図
【図１７】本実施例による太陽電池等のケーブル引込ユニットを、両流れの金属横葺き屋根に施工した状態を示す断面図
【図１８】本実施例による太陽電池等のケーブル引込ユニットを、両流れのスレート屋根に施工した状態を示す断面図
【図１９】本発明の他の実施例による太陽電池等のケーブル引込ユニットの構成図
【図２０】本実施例による太陽電池等のケーブル引込ユニットを、片流れの金属立平屋根に施工した状態を示す断面図
【図２１】本実施例による太陽電池等のケーブル引込ユニットを、片流れの金属横葺き屋根に施工した状態を示す断面図
【図２２】本実施例による太陽電池等のケーブル引込ユニットを、片流れのスレート屋根に施工した状態を示す断面図
【図２３】本発明の他の実施例による太陽電池等のケーブル引込ユニットの要部断面図
【図２４】本発明の更に他の実施例による太陽電池等のケーブル引込ユニットの要部断面図
【図２５】本発明の更に他の実施例による太陽電池等のケーブル引込ユニットの要部断面図
【図２６】本発明の更に他の実施例による太陽電池等のケーブル引込ユニットのカバーを上方から見た要部斜視図
【発明を実施するための形態】
【０００９】
本発明の第１の実施の形態による太陽電池等のケーブル引込ユニットは、一対の支持板の間には、基台基板に取り付けた基台側ケーブル把持部材と、カバー天面材に取り付けたカバー側ケーブル把持部材とを備え、カバーには、基台フランジ板に対向させた覆い材を備え、基台側ケーブル把持部材とカバー側ケーブル把持部材とでケーブルを挟み込み、基台フランジ板と覆い材との間に、ケーブルを収める可撓管の端部を配置するものである。本実施の形態によれば、基台側ケーブル把持部材とカバー側ケーブル把持部材とでケーブルを挟み込むことで、ケーブルを確実に位置決めできるとともに雨水の流入を遮断でき、止水性を高めることができる。また、本実施の形態によれば、基台フランジ板を基台基板に対して低位置としているため、基台フランジ板と覆い材との間に配置される可撓管の端部は、屋根面に近い位置となり、カバー天面材より高い位置に突出することを少なくでき、風雨に対して可撓管を保護しやすく、またケーブルを伝って雨水が流入することを防止できる。また、本実施の形態によるケーブル引込ユニットは、基台を棟包の外表面に当接させ、基台の上方にカバーを配置するもので、ケーブル引込ユニットを棟包の上方に配置するため、金属屋根やスレート屋根のように異なる種類の屋根に対応させることができる。
【００１０】
本発明の第２の実施の形態は、第１の実施の形態による太陽電池等のケーブル引込ユニットにおいて、カバーには、カバー天面材の下端から基台フランジ板の方向に延出するカバー側面材を備え、カバー側面材には、カバー側面材の下端まで延びる一対の縦方向スリットを設け、覆い材が、一対の縦方向スリットの間のカバー側面材によって形成されるものである。本実施の形態によれば、一対の縦方向スリットの間のカバー側面材を折り曲げることで覆い材を形成できるため、可撓管に合わせた配置とすることができる。
【００１１】
本発明の第３の実施の形態は、第２の実施の形態による太陽電池等のケーブル引込ユニットにおいて、カバー側面材には、カバー天面材の下端から所定距離を有する位置に、一対の横方向スリットを設け、一対の縦方向スリットの上端を、一対の横方向スリットの側方端部に連続して設けたものである。本実施の形態によれば、一対の縦方向スリットの間のカバー側面材を折り曲げることで形成される覆い材は、カバー天面材の下端から所定距離を有する位置に形成され、覆い材とカバー天面材の下端との間には所定距離のカバー側面材が残存するため、ケーブルからの反力によってカバー天面材が変形することを防止でき、止水性を高めることができる。
【００１２】
本発明の第４の実施の形態は、第３の実施の形態による太陽電池等のケーブル引込ユニットにおいて、横方向スリットの側方端部を中央端部より低位置として、一対の横方向スリットをカバー天面材の下端に対してそれぞれ傾斜させたものである。本実施の形態によれば、カバー天面材から流れ落ちる雨水は、横方向スリットの傾斜に沿って覆い材から離間する方向に流れるため、ケーブルからの雨水の侵入を少なくできる。また、本実施の形態によれば、横方向スリットによって覆い材の両端部を折り曲げて用いる場合には、覆い材の両端部のカバー側面材側の辺（横方向スリットによって形成される側辺）が、カバー側面材の面に平行となることで覆い材の覆い面が下方に傾斜するため、カバー天面材から覆い材に流れる雨水をスムーズに落下させることができる。
【００１３】
本発明の第５の実施の形態は、第２から第４のいずれかの実施の形態による太陽電池等のケーブル引込ユニットにおいて、一対の縦方向スリットの間隔を、一対の支持板の間隔よりも狭くしたものである。本実施の形態によれば、覆い材を形成することで生じる隙間を狭くでき止水性を高めることができる。
【００１４】
本発明の第６の実施の形態は、第１から第５のいずれかの実施の形態による太陽電池等のケーブル引込ユニットにおいて、建造物が、一方の第１屋根材と他方の第２屋根材とからなる両流れ屋根であり、基台基板は、第１屋根材に対応する第１基台基板と、第２屋根材に対応する第２基台基板とからなり、支持板は、第１基台基板に設けた第１支持板と、第２基台基板に設けた第２支持板とからなり、カバー天面材は、第１屋根材に対応する第１カバー天面材と、第２屋根材に対応する第２カバー天面材とからなり、カバー壁面材は、第１カバー天面材から延出する第１カバー壁面材と、第２カバー天面材から延出する第２カバー壁面材とからなり、第１基台基板と第２基台基板とは、基台基板折り曲げ部によって連接し、第１カバー天面材と第２カバー天面材とは、カバー天面材折り曲げ部によって連接し、第１支持板の第２支持板側の第１支持板端面と、第２支持板の第１支持板側の第２支持板端面とは互いに重なり合い、第１カバー壁面材の第２カバー壁面材側の第１カバー壁面端面と、第２カバー壁面材の第１カバー壁面材側の第２カバー壁面端面とは互いに重なり合うものである。本実施の形態によれば、第１基台基板と第２基台基板とは、基台基板折り曲げ部によって連接し、第１カバー天面材と第２カバー天面材とは、カバー天面材折り曲げ部によって連接しているため、基台基板及びカバー天面材を棟包の勾配に合わせて施工することができる。また、本実施の形態によれば、第１支持板端面と第２支持板端面とは互いに重なり合い、第１カバー壁面端面と第２カバー壁面端面とは互いに重なり合うため、止水効果が高い。
【００１５】
本発明の第７の実施の形態は、第２から第５のいずれかの実施の形態による太陽電池等のケーブル引込ユニットにおいて、建造物が、一方の第１屋根材と他方の第２屋根材とからなる両流れ屋根であり、カバー天面材は、第１屋根材に対応する第１カバー天面材と、第２屋根材に対応する第２カバー天面材とからなり、カバー側面材は、第１カバー天面材から延出する第１カバー側面材と、第２カバー天面材から延出する第２カバー側面材とからなるものである。本実施の形態によれば、例えば第１屋根材に太陽電池パネルを設置した場合には、Ｌ字型スリット間の第１カバー側面材を折り曲げて可撓管の覆い材とし、第２カバー側面材はＬ字型スリット間を折り曲げることなく施工することで、ケーブルを引き込む必要のない第２カバー側面材は雨水の流入防止材として機能させることができ、また第２屋根材に太陽電池パネルを増設する場合には、第２カバー側面材を折り曲げて可撓管の覆い材としてケーブルを引き込むことができる。
【００１６】
本発明の第８の実施の形態は、第１から第７のいずれかの実施の形態による太陽電池等のケーブル引込ユニットにおいて、基台側ケーブル把持部材及びカバー側ケーブル把持部材の少なくとも一方を、発泡弾性部材で形成し、発泡弾性部材には、複数のスリットを形成したものである。本実施の形態によれば、スリットによってケーブルと発泡弾性部材との間に隙間を生じることが少なくなり、止水効果を高めることができる。
【００１７】
本発明の第９の実施の形態は、第１から第７のいずれかの実施の形態による太陽電池等のケーブル引込ユニットにおいて、基台側ケーブル把持部材として、外側基台側ケーブル把持部材と、内側基台側ケーブル把持部材とを設け、外側基台側ケーブル把持部材を基台基板の下端側に設け、内側基台側ケーブル把持部材をケーブル導入用開口側に設け、カバー側ケーブル把持部材を、外側基台側ケーブル把持部材に対向する位置に配置したものである。本実施の形態によれば、外側基台側ケーブル把持部材とカバー側ケーブル把持部材とによってケーブルを挟み込んで、ケーブル周りの空隙を少なくし、更に内側基台側ケーブル把持部材によってケーブルを上方に位置させることで、外側基台側ケーブル把持部材とカバー側ケーブル把持部材との間から侵入する雨水がケーブルに沿ってケーブル導入用開口に至ることを防ぐことができる。
【００１８】
本発明の第１０の実施の形態は、第９の実施の形態による太陽電池等のケーブル引込ユニットにおいて、ケーブルを押さえ込んだ状態で、内側基台側ケーブル把持部材の高さ寸法を、外側基台側ケーブル把持部材の高さ寸法より大きくしたものである。本実施の形態によれば、内側基台側ケーブル把持部材の高さ寸法を、外側基台側ケーブル把持部材の高さ寸法より大きくすることで、外側基台側ケーブル把持部材とカバー側ケーブル把持部材との間から侵入する雨水がケーブルに沿ってケーブル導入用開口に至ることを防ぐことができる。
【００１９】
本発明の第１１の実施の形態は、第９又は第１０の実施の形態による太陽電池等のケーブル引込ユニットにおいて、ケーブルを挟み込んだ状態で、カバー側ケーブル把持部材の高さ寸法を、外側基台側ケーブル把持部材の高さ寸法より大きくしたものである。本実施の形態によれば、ケーブルを覆い材側では基台基板側に近接させることで、雨水がケーブルに沿ってケーブル導入用開口に至ることを防ぐことができる。
【００２０】
本発明の第１２の実施の形態は、第９から第１１のいずれかの実施の形態による太陽電池等のケーブル引込ユニットにおいて、カバー側ケーブル把持部材の奥行き寸法を、外側基台側ケーブル把持部材の奥行き寸法より大きくしたものである。本実施の形態によれば、カバー側ケーブル把持部材と外側基台側ケーブル把持部材との内側基台側ケーブル把持部材側挟み込み位置と、内側基台側ケーブル把持部材との距離を一定に維持した状態で、勾配の異なる屋根に対応することができる。カバー側ケーブル把持部材と外側基台側ケーブル把持部材との内側基台側ケーブル把持部材側挟み込み位置と、内側基台側ケーブル把持部材との距離を一定に維持することで、勾配の異なる屋根に対して止水性能を維持することができる。
【００２１】
本発明の第１３の実施の形態は、第９から第１２のいずれかの実施の形態による太陽電池等のケーブル引込ユニットにおいて、ケーブルの直径をｃ、基台基板からカバー天面材までの内面高さ寸法をｈ、外側基台側ケーブル把持部材の無負荷状態での高さ寸法をｈａ、内側基台側ケーブル把持部材の無負荷状態での高さ寸法をｈｂ、カバー側ケーブル把持部材の無負荷状態での高さ寸法をｈｃとした場合に、ｈａをｈの１／４以上で５／４以下の範囲の寸法とし、ｈｂを（ｈ−ｃ）以上で（ｈ−ｃ）×４以下の範囲の寸法とし、ｈｃをｈの２／４以上で１０／４以下の範囲の寸法としたものである。本実施の形態によれば、ケーブル導入用開口に至る雨水を確実に遮断できる。
【００２２】
本発明の第１４の実施の形態は、第９から第１３のいずれかの実施の形態による太陽電池等のケーブル引込ユニットにおいて、カバー側ケーブル把持部材として、外側カバー側ケーブル把持部材と、内側カバー側ケーブル把持部材とを設け、外側カバー側ケーブル把持部材をカバー天面材の下端側に設け、内側カバー側ケーブル把持部材をケーブル導入用開口側に設け、外側カバー側ケーブル把持部材をスリットの無い発泡弾性部材で形成し、内側カバー側ケーブル把持部材を複数のスリットの有る発泡弾性部材で形成したものである。本実施の形態によれば、外環境の影響を受けやすい覆い材側では耐久性の高い止水性を維持し、ケーブル導入用開口側では隙間を確実に無くすことができる。
【００２３】
本発明の第１５の実施の形態による太陽電池等のケーブル引込ユニットの施工方法は、野地板に頂部隙間を形成する野地開口形成工程と、野地開口形成工程の後に、頂部隙間の外周を覆う捨水切を施工する捨水切施工工程と、捨水切施工工程の後に、頂部隙間の両側に貫板を留め付ける貫板施工工程と、貫板施工工程の後に、頂部隙間を除き、貫板に棟包を被せて固定する棟包施工工程と、基台を頂部隙間の上方に配置し、基台を棟包の外表面に当接させる基台施工工程と、基台施工工程の後に、ケーブル導入用開口と頂部隙間とにケーブルを入線する入線工程と、入線工程の後に、カバーを基台に取り付けるカバー固定工程とを有し、カバー固定工程では、ケーブルを基台側ケーブル把持部材とカバー側ケーブル把持部材とで挟み込み、ケーブルを収める可撓管の端部を基台と覆い材との間に配置するものである。本実施の形態によれば、カバーを基台に取り付ける工程で、可撓管の端部を配置してケーブルを挟み込むため、止水のための複雑な作業を必要とせず、作業性に優れている。
【００２４】
本発明の第１６の実施の形態は、第１５の実施の形態による太陽電池等のケーブル引込ユニットの施工方法において、カバーには、カバー天面材の下端から基台フランジ板の方向に延出するカバー側面材を備え、カバー側面材には、カバー側面材の下端まで延びる一対の縦方向スリットを設けており、カバー固定工程では、一対の縦方向スリットの間のカバー側面材を折り曲げて覆い材とし、覆い材の両端部を可撓管の方向に折り曲げるものである。本実施の形態によれば、一対の縦方向スリットの間のカバー側面材を折り曲げることで覆い材を形成できるため、可撓管に合わせた配置とすることができる。
【００２５】
本発明の第１７の実施の形態による太陽電池等のケーブル引込ユニットの施工方法は、野地板に頂部隙間を形成する野地開口形成工程と、野地開口形成工程の後に、頂部隙間の外周を覆う捨水切を施工する捨水切施工工程と、捨水切施工工程の後に、頂部隙間の両側に貫板を留め付ける貫板施工工程と、貫板施工工程の後に、頂部隙間を除き、貫板に棟包を被せて固定する棟包施工工程と、基台を頂部隙間の上方に配置し、基台を棟包の外表面に当接させる基台施工工程と、基台施工工程の後に、ケーブル導入用開口と頂部隙間とにケーブルを入線する入線工程と、入線工程の後に、カバーを基台に取り付けるカバー固定工程とを有し、野地開口形成工程では、頂部隙間の屋根頂部の稜線方向隙間寸法を、ケーブル導入用開口の屋根頂部の稜線方向開口寸法より大きく形成するものである。本実施の形態によれば、ケーブルが頂部隙間の側面に当たることを少なくし、屋内にケーブルをスムーズに導くことができるとともに、ケーブル導入用開口の屋根頂部の稜線方向開口寸法を小さくできるため、ケーブル引込ユニットの稜線方向寸法を小さくでき、ケーブル引込ユニットの稜線方向の撓みが少なく、ケーブル引込ユニットの止水性能を高めることができる。
【実施例】
【００２６】
以下本発明の一実施例による太陽電池等のケーブル引込ユニットについて説明する。
図１は本実施例による太陽電池等のケーブル引込ユニットを側方から見た斜視図、図２は同ケーブル引込ユニットを上方から見た斜視図、図３は同ケーブル引込ユニットを取り外した状態での建造物の屋根頂部の要部斜視図である。
本実施例による太陽電池等のケーブル引込ユニットは、建造物の屋根頂部に配置される棟包１の外表面に当接させる基台１０と、基台１０の上方に配置するカバー２０とからなる。
図１から図３は、両流れの金属屋根を示しており、垂木２の上部には野地板３を設け、野地板３の上面には屋根材（金属立平）４が敷設されている。
図１及び図２に示すように、同ケーブル引込ユニットには、ケーブルを収める可撓管３０が配置される。
図３に示すように、野地板３の屋根頂部には、頂部隙間５を形成し、頂部隙間５には捨水切４０を取り付けている。
頂部隙間５の両側には、角材６を留め付け、角材６の上部には貫板７を留め付けている。棟包１は、頂部隙間５を除き、貫板７に被せて固定している。
同ケーブル引込ユニットは、太陽電池パネルやアンテナなどに付属するケーブルを、野地板３に形成した頂部隙間５から屋内に導く。
【００２７】
図４は本実施例による太陽電池等のケーブル引込ユニットの基台を上方から見た斜視図、図５は同基台を図４とは異なる方向から見た斜視図、図６は同基台を側方から見た斜視図、図７は同基台の裏側の斜視図、図８は図７と異なる方向から見た裏側の斜視図である。
基台１０は、棟包１の上面に当接させる基台基板１１と、基台基板１１の下端から垂下させる基台側板１２と、基台側板１２の下端から延出させる基台フランジ板１３と、基台基板１１に形成したケーブル導入用開口１４と、ケーブル導入用開口１４の側方に設けた一対の支持板１５とを備えている。
一対の支持板１５は、一対の支持板１５を接続する接続板１５ａと、ケーブル導入用開口１４の周囲に配置される開口補強部１５ｂとを有している。開口補強部１５ｂは、支持板１５とケーブル導入用開口１４との間と、接続板１５ａとケーブル導入用開口１４との間に形成され、端部を内方に折り曲げている。
一対の支持板１５、接続板１５ａ、及び開口補強部１５ｂは、１枚の金属板から一体成形されている。すなわち、一対の支持板１５は接続板１５ａの両側を折り曲げて形成されている。接続板１５ａ及び開口補強部１５ｂの位置で、ビスを用いて基台基板１１に取り付けている。
【００２８】
一対の支持板１５の間には、基台基板１１に取り付けた基台側ケーブル把持部材１６を備えている。なお、本実施例では、基台側ケーブル把持部材１６は接続板１５ａに取り付けている。基台側ケーブル把持部材１６は基台基板１１に直接取り付けても、本実施例のように補強機能のために設けた接続板１５ａを介して基台基板１１に間接的に取り付けてもよい。
また、本実施例では、基台側ケーブル把持部材１６として、外側基台側ケーブル把持部材１６ａと、内側基台側ケーブル把持部材１６ｂとを設けている。
外側基台側ケーブル把持部材１６ａは、基台基板１１の下端側に設け、内側基台側ケーブル把持部材１６ｂは、ケーブル導入用開口１４側に設けている。内側基台側ケーブル把持部材１６ｂは、外側基台側ケーブル把持部材１６ａよりも、高い位置に設けることが好ましく、更には、内側基台側ケーブル把持部材１６ｂの自然高さは、外側基台側ケーブル把持部材１６ａの自然高さよりも高いことが好ましい。ここで、自然高さとは、負荷が加わらない状態での部材自体の高さである。
【００２９】
本実施例では、一方の第１屋根材と他方の第２屋根材とからなる両流れ屋根に対応したケーブル引込ユニットであり、基台基板１１は、第１屋根材に対応する第１基台基板１１Ｘと、第２屋根材に対応する第２基台基板１１Ｙとからなり、支持板１５は、第１基台基板１１Ｘに設けた第１支持板１５Ｘと、第２基台基板１１Ｙに設けた第２支持板１５Ｙとからなる。
第１基台基板１１Ｘと第２基台基板１１Ｙとは、基台基板折り曲げ部１１Ｚによって連接している。第１基台基板１１Ｘと第２基台基板１１Ｙとは、基台基板折り曲げ部１１Ｚによって連接しているため、基台基板１１を棟包１の勾配に合わせて施工することができる。
第１支持板１５Ｘの第２支持板１５Ｙ側の第１支持板端面１５ＸＺと、第２支持板１５Ｙの第１支持板１５Ｘ側の第２支持板端面１５ＹＺとは互いに重なり合っている。第１支持板端面１５ＸＺと第２支持板端面１５ＹＺとは互いに重なり合うため止水効果が高い。
図７及び図８に示すように、基台フランジ板１３の端部は折り返している。また、基台基板１１の裏面には、設置時における屋根頂部の稜線方向に弾性材１７を貼り付けている。
【００３０】
図９は本実施例による太陽電池等のケーブル引込ユニットに用いる基台側ケーブル把持部材の斜視図、図１０は同基台側ケーブル把持部材の説明図である。
基台側ケーブル把持部材１６は、発泡弾性部材で形成し、発泡弾性部材には、複数のスリットを形成している。発泡弾性部材には、耐熱性のある部材が好ましく、例えばＥＰＤＭゴムが適している。スリットによって形成される発泡弾性部材片は、ケーブルの直径よりも狭い幅であることが好ましく、ケーブルの半径よりも長い高さであることが好ましい。本実施例で示す発泡弾性部材片は、ケーブルの半径よりも狭い幅とし、ケーブルの直径よりも長い高さとしている。
本実施例によれば、スリットによってケーブルと発泡弾性部材との間に隙間を生じることが少なくなり、止水効果を高めることができる。
【００３１】
図１１は本実施例による太陽電池等のケーブル引込ユニットのカバーを上方から見た斜視図、図１２は同カバーを図１１とは異なる方向から見た斜視図、図１３は同カバーの裏側の斜視図である。
カバー２０は、一対の支持板１５に当接するカバー天面材２１と、カバー天面材２１の両側端から基台基板１１の方向に延出するカバー壁面材２２と、カバー天面材２１の下端から基台フランジ板１３の方向に延出するカバー側面材２３と、カバー天面材２１の下端から延出して基台フランジ板１３に対向させた覆い材２４とを備えている。
【００３２】
図１２に示すように、カバー側面材２３には、一対のＬ字型スリット２５を設けている。
Ｌ字型スリット２５は、カバー天面材２１の下端に形成した横方向スリット２５ａと、横方向スリット２５ａの端部からカバー側面材２３の下端まで延びる縦方向スリット２５ｂからなる。
本実施例では、覆い材２４は、一対のＬ字型スリット２５の間のカバー側面材２３を折り曲げることによって形成される。
図１１及び図１３では、一対のＬ字型スリット２５の間のカバー側面材２３を折り曲げることによって形成される覆い材２４を示している。一対の縦方向スリット２５ｂによって、一対のＬ字型スリット２５の間のカバー側面材２３を、基台フランジ板１３に対向させるように折り曲げることができ、更に横方向スリット２５ａによって、覆い材２４の両端部を可撓管３０の周囲に沿うように折り曲げることができる。
本実施例によれば、一対のＬ字型スリット２５の間のカバー側面材２３を折り曲げることで覆い材２４を形成できるため、可撓管３０に合わせた配置とすることができる。
なお、覆い材２４は、横方向スリット２５ａを形成することなく、一対の縦方向スリット２５ｂでも形成することができる。また、一対の縦方向スリット２５ｂは、カバー側面材２３の下端まで延びていれば、カバー天面材２１の下端に至らなくてもよい。また、覆い材２４は、一対の縦方向スリット２５ｂを形成することなく、カバー側面材２３全体を折り曲げて形成してもよい。
【００３３】
本実施例では、一方の第１屋根材と他方の第２屋根材とからなる両流れ屋根に対応したケーブル引込ユニットであり、カバー天面材２１は、第１屋根材に対応する第１カバー天面材２１Ｘと、第２屋根材に対応する第２カバー天面材２１Ｙとからなり、カバー壁面材２２は、第１カバー天面材２１Ｘから延出する第１カバー壁面材２２Ｘと、第２カバー天面材２１Ｙから延出する第２カバー壁面材２２Ｙとからなる。
第１カバー天面材２１Ｘと第２カバー天面材２１Ｙとは、カバー天面材折り曲げ部２１Ｚによって連接している。第１カバー天面材２１Ｘと第２カバー天面材２１Ｙとは、カバー天面材折り曲げ部２１Ｚによって連接しているため、カバー天面材２１を棟包１の勾配に合わせて施工することができる。
第１カバー壁面材２２Ｘの第２カバー壁面材２２Ｙ側の第１カバー壁面端面２２ＸＺと、第２カバー壁面材２２Ｙの第１カバー壁面材２２Ｘ側の第２カバー壁面端面２２ＹＺとは互いに重なり合っている。第１カバー壁面端面２２ＸＺと第２カバー壁面端面２２ＹＺとは互いに重なり合うため、止水効果が高い。
本実施例によれば、例えば第１屋根材に太陽電池パネルを設置した場合には、Ｌ字型スリット２５間の第１カバー側面材２３Ｘを折り曲げて可撓管３０の覆い材２４とし、第２カバー側面材２３ＹはＬ字型スリット２５間を折り曲げることなく施工することで、ケーブルを引き込む必要のない第２カバー側面材２３Ｙは雨水の流入防止材として機能させることができ、また第２屋根材に太陽電池パネルを増設する場合には、第２カバー側面材２３Ｙを折り曲げて可撓管３０の覆い材２４としてケーブルを引き込むことができる。
【００３４】
図１３に示すように、カバー天面材２１の裏面には、カバー側ケーブル把持部材２６を取り付けている。
カバー側ケーブル把持部材２６は、カバー天面材２１に直接取り付けても、他の部材を介してカバー天面材２１に間接的に取り付けてもよい。
また、本実施例では、カバー側ケーブル把持部材２６として、外側カバー側ケーブル把持部材２６ａと、内側カバー側ケーブル把持部材２６ｂとを設けている。本実施例では、外側カバー側ケーブル把持部材２６ａは、高さ方向に撓みを生じる弾性板材２７を介してカバー天面材２１に間接的に取り付け、内側カバー側ケーブル把持部材２６ｂは、カバー天面材２１に直接取り付けている。
外側カバー側ケーブル把持部材２６ａは、カバー天面材２１の下端側に設け、内側カバー側ケーブル把持部材２６ｂは、カバー天面材折り曲げ部２１Ｚ側に設けている。内側カバー側ケーブル把持部材２６ｂは、外側カバー側ケーブル把持部材２６ａよりも、高い位置に設けることが好ましく、更には、内側カバー側ケーブル把持部材２６ｂの下面の位置は、外側カバー側ケーブル把持部材２６ａの下面の位置よりも高いことが好ましい。
【００３５】
図１１から図１３に示すように、カバー天面材２１には、長孔２８を形成している。長孔２８は、一対の支持板１５に対応する位置に形成している。カバー天面材２１は、長孔２８を用いてネジ留めすることで支持板１５に取り付けられる。
カバー側ケーブル把持部材２６は、図９及び図１０に示す基台側ケーブル把持部材１６と同一であり、発泡弾性部材で形成し、発泡弾性部材には、複数のスリットを形成している。発泡弾性部材には、耐熱性のある部材が好ましく、例えばＥＰＤＭゴムが適している。スリットによって形成される発泡弾性部材片は、ケーブルの直径よりも狭い幅であることが好ましく、ケーブルの半径よりも長い高さであることが好ましい。本実施例で示す発泡弾性部材片は、ケーブルの半径よりも狭い幅とし、ケーブルの直径よりも長い高さとしている。
【００３６】
図１４及び図１５は本実施例による太陽電池等のケーブル引込ユニットの施工方法を示す図である。
図１４（ａ）は、野地開口形成工程を示している。野地開口形成工程では、野地板３の屋根頂部に頂部隙間５を形成する。頂部隙間５は、屋根頂部の稜線方向隙間寸法５Ｗを、ケーブル導入用開口１４の屋根頂部の稜線方向開口寸法より大きく形成する。
図１４（ｂ）は、野地開口形成工程の後の屋根下葺き材施工工程を示している。屋根下葺き材施工工程では、野地板３の上面に屋根下葺き材８を張り、頂部隙間５を開口させるために屋根下葺き材８に開口を設ける。
図１４（ｃ）は、屋根下葺き材施工工程の後の捨水切施工工程を示している。捨水切施工工程では、頂部隙間５の外周を覆う捨水切４０を施工する。捨水切４０の屋根頂部の稜線方向寸法は、頂部隙間５の稜線方向隙間寸法５Ｗよりも大きく形成している。
図１４（ｄ）は、捨水切施工工程の後の防水処理工程を示している。防水処理工程では、捨水切４０の外周を防水処理する。防水処理は、捨水切４０と屋根下葺き材８との隙間及び捨水切４０周辺の屋根下葺き材８に防水シートを貼り合わせる。
図１４（ｅ）は、防水処理工程の後の角材施工工程を示している。角材施工工程では、頂部隙間５の両側に、屋根勾配に合わせて角材６を留め付ける。
図１４（ｆ）は、角材施工工程の後の貫板施工工程を示している。貫板施工工程では、角材６の上に貫板７を留め付ける。従って、貫板７は頂部隙間５の両側に留め付ける。
【００３７】
図１５（ａ）は、貫板施工工程の後の棟包施工工程を示している。棟包施工工程では、頂部隙間５を除き、貫板７に棟包１を被せて固定する。棟包１は分割して所定間隔開けて配設し、この所定間隔は、捨水切４０の屋根頂部の稜線方向寸法よりも大きくしている。
図１５（ｂ）は、棟包施工工程の後の基台施工工程を示している。基台施工工程では、基台１０を頂部隙間５の上方に配置し、基台１０の両側部を棟包１の外表面に当接させる。
なお、基台施工工程を棟包施工工程の前に行うこともできる。すなわち、基台１０を棟包１に取り付けた後に、貫板７に棟包１を被せて固定することもできる。
図１５（ｃ）は、基台施工工程の後の入線工程を示している。入線工程では、ケーブル導入用開口１４と頂部隙間５とにケーブル３１を入線する。
図１５（ｄ）（ｅ）（ｆ）は、入線工程の後のカバー固定工程を示している。カバー固定工程では、カバー２０を基台に取り付ける。
図１５（ｄ）では、カバー２０について、一対のＬ字型スリット２５の間のカバー側面材２３を立ち上げ、覆い材２４を形成した状態を示している。
図１５（ｃ）に示すように、ケーブル３１を基台側ケーブル把持部材１６に載せ、このケーブル３１を可撓管３０に収め、可撓管３０を覆い材２４で押さえ込むようにした後に、図１５（ｅ）に示すように、長孔２８を用いてカバー２０を基台１０に取り付ける。
図１５（ｆ）は、覆い材２４の両端部を可撓管３０の周囲に沿うように折り曲げた状態を示している。カバー側面材２３が一対のＬ字型スリット２５を形成している場合には、横方向スリット２５ａに沿って覆い材２４の両端部を折り曲げることができる。また、カバー側面材２３が一対の縦方向スリット２５ｂだけを形成している場合であっても、覆い材２４の両端部の少なくとも角部を折り曲げることができる。
【００３８】
カバー固定工程では、ケーブル３１を基台側ケーブル把持部材１６とカバー側ケーブル把持部材２６とで挟み込み、ケーブル３１を収める可撓管３０の端部を基台１０と覆い材２４との間に配置する。このように、カバー２０を基台１０に取り付ける工程で、可撓管３０の端部を配置してケーブル３１を挟み込むため、止水のための複雑な作業を必要とせず、作業性に優れている。
また、野地開口形成工程では、頂部隙間５の屋根頂部の稜線方向隙間寸法５Ｗを、ケーブル導入用開口１４の屋根頂部の稜線方向開口寸法より大きく形成することで、ケーブル３１が頂部隙間５の側面に当たることを少なくし、屋内にケーブル３１をスムーズに導くことができるとともに、ケーブル導入用開口１４の屋根頂部の稜線方向開口寸法を小さくできるため、ケーブル引込ユニットの稜線方向寸法を小さくでき、ケーブル引込ユニットの稜線方向の撓みが少なく、ケーブル引込ユニットの止水性能を高めることができる。
【００３９】
図１６は本実施例による太陽電池等のケーブル引込ユニットを、両流れの金属立平屋根に施工した状態を示す断面図、図１７は本実施例による太陽電池等のケーブル引込ユニットを、両流れの金属横葺き屋根に施工した状態を示す断面図、図１８は本実施例による太陽電池等のケーブル引込ユニットを、両流れのスレート屋根に施工した状態を示す断面図である。
図１６から図１７に示す両流れ屋根の建造物では、垂木２は、棟木９の上部から両側方に斜め下方に傾斜して設けている。垂木２の上部には野地板３を設け、野地板３の上面には屋根材４が敷設されている。棟包１は、頂部隙間５を除き、貫板７に被せて固定している。なお、既に説明した部材には同一符号を付して説明を省略する。
【００４０】
図１６に示す金属立平屋根の建造物では屋根材４として金属立平が用いられ、図１７に示す金属横葺き屋根の建造物では屋根材４として金属横葺きが用いられ、図１８に示すスレート屋根の建造物では屋根材４としてスレートが用いられる。
図１６及び図１７に示す金属屋根の建造物では、頂部隙間５の両側には、屋根頂部に屋根勾配に合わせて角材６を留め付け、角材６には貫板７を留め付けている。図１８に示すスレート屋根の建造物では、頂部隙間５の両側には、貫板７を留め付けている。スレート屋根の建造物では、金属屋根の建造物のように角材６は設けない。
【００４１】
本実施例において、ケーブル３１は、基台側ケーブル把持部材１６とカバー側ケーブル把持部材２６とで挟み込まれ、ケーブル３１を収める可撓管３０の端部は、基台フランジ板１３と覆い材２４との間に配置される。
このように、基台側ケーブル把持部材１６とカバー側ケーブル把持部材２６とでケーブル３１を挟み込むことで、ケーブル３１を確実に位置決めできるとともに雨水の流入を遮断でき、止水性を高めることができる。
また、基台フランジ板１３を基台基板１１に対して低位置としているため、基台フランジ板１３と覆い材２４との間に配置される可撓管３０の端部は、屋根面に近い位置となり、カバー天面材２１より高い位置に突出することを少なくでき、風雨に対して可撓管３０を保護しやすく、またケーブル３１を伝って雨水が流入することを防止できる。
図１６から図１８に示すように、本実施例による太陽電池等のケーブル引込ユニットは、基台１０を棟包１の外表面に当接させ、基台１０の上方にカバー２０を配置するもので、棟包１の上方に配置するため、金属屋根やスレート屋根のように異なる種類の屋根に対応させることができる。
【００４２】
図１９は本発明の他の実施例による太陽電池等のケーブル引込ユニットの構成図であり、図１９（ａ）は同ケーブル引込ユニットの上面図、図１９（ｂ）は同ケーブル引込ユニットの正面図、図１９（ｃ）は同ケーブル引込ユニットの側面図である。
本実施例は、片流れ屋根用のケーブル引込ユニットである。なお、既に説明した同一機能部材には同一符号を付して説明を省略する。
本実施例による太陽電池等のケーブル引込ユニットは、上記実施例と同様に棟包１の外表面に当接させる基台１０と、基台１０の上方に配置するカバー２０とからなる。
基台１０は、棟包１の上面に当接させる基台基板１１と、基台基板１１の下端から垂下させる基台側板１２と、基台側板１２の下端から延出させる基台フランジ板１３の他に、図１９では図示しないが、基台基板１１に形成したケーブル導入用開口１４と、ケーブル導入用開口１４の側方に設けた一対の支持板１５と、建造物の壁面に配置される垂下板材１８を備えている。
カバー２０は、一対の支持板１５に当接するカバー天面材２１と、カバー天面材２１の両側端から基台基板１１の方向に延出するカバー壁面材２２と、カバー天面材２１の下端から基台フランジ板１３の方向に延出するカバー側面材２３と、カバー天面材２１の下端から延出して基台フランジ板１３に対向させた覆い材２４とを備えている。なお、図１９では、基台フランジ板１３に対向させる前の覆い材２４の状態を示している。
本実施例では、一方の第１屋根材からなる片流れ屋根に対応したケーブル引込ユニットであるため、基台基板１１は、第１屋根材に対応する第１基台基板１１Ｘからなり、支持板１５は、第１基台基板１１Ｘに設けた第１支持板１５Ｘからなり、カバー天面材２１は、第１屋根材に対応する第１カバー天面材２１Ｘからなり、カバー壁面材２２は、第１カバー天面材２１Ｘから延出する第１カバー壁面材２２Ｘからなる（図４から図６、図１１から図１３参照）。
なお、図１９では図示しないが、本実施例においても、両流れ屋根に対応したケーブル引込ユニットと同様に、図９及び図１０に示すような、基台側ケーブル把持部材１６及びカバー側ケーブル把持部材２６を備えている。
【００４３】
図２０は本実施例による太陽電池等のケーブル引込ユニットを、片流れの金属立平屋根に施工した状態を示す断面図、図２１は本実施例による太陽電池等のケーブル引込ユニットを、片流れの金属横葺き屋根に施工した状態を示す断面図、図２２は本実施例による太陽電池等のケーブル引込ユニットを、片流れのスレート屋根に施工した状態を示す断面図である。
図２０から図２２に示す片流れ屋根の建造物では、垂木２は、棟木９の上部から一方向に斜め下方に傾斜して設けている。垂木２の上部には野地板３を設け、野地板３の上面には屋根材４が敷設されている。棟包１は、頂部隙間５を除き、貫板７に被せて固定している。なお、既に説明した部材には同一符号を付して説明を省略する。
【００４４】
図２０に示す金属立平屋根の建造物では屋根材４として金属立平が用いられ、図２１に示す金属横葺き屋根の建造物では屋根材４として金属横葺きが用いられ、図２２に示すスレート屋根の建造物では屋根材４としてスレートが用いられる。
図２０及び図２１に示す金属屋根の建造物では、屋根頂部に屋根勾配に合わせて角材６を留め付け、角材６には貫板７を留め付けている。図２２に示すスレート屋根の建造物では、屋根頂部に貫板７を留め付けている。スレート屋根の建造物では、金属屋根の建造物のように角材６は設けない。
棟木９の壁面と垂木２の棟側端面には破風下地６１を設けている。破風下地６１の屋外側面には、破風板６２が配置される。
本実施例による片流れ屋根用のケーブル引込ユニットは、破風板のみ込み板材５０を用いて施工する。
破風板のみ込み板材５０は、垂下板材１８と平行に配置されて破風下地６１に固定される破風下地固定板材５１と、連接板材５２を介して破風下地固定板材５１と平行に配置される垂下固定板材５３とからなり、一枚の板材を折り曲げて形成されている。連接板材５２は、破風下地固定板材５１の上端と垂下固定板材５３の上端とを連接する。連接板材５２の下方で、破風下地固定板材５１と垂下固定板材５３との間には、破風板のみこみ部を形成している。
基台１０は、基台基板１１の両側部を棟包１の外表面に当接し、垂下板材１８を垂下固定板材５３の外表面に当接する。破風下地固定板材５１は、破風下地６１にビス５４によって固定される。破風下地固定板材５１を破風下地６１に固定した後に、破風板６２が設置される。破風板６２は、破風板のみこみ部に破風板６２の上端部を挿入して設置される。
【００４５】
本実施例において、ケーブル３１は、基台側ケーブル把持部材１６とカバー側ケーブル把持部材２６とで挟み込まれ、ケーブル３１を収める可撓管３０の端部は、基台フランジ板１３と覆い材２４との間に配置される。
このように、基台側ケーブル把持部材１６とカバー側ケーブル把持部材２６とでケーブル３１を挟み込むことで、ケーブル３１を確実に位置決めできるとともに雨水の流入を遮断でき、止水性を高めることができる。
また、基台フランジ板１３を基台基板１１に対して低位置としているため、基台フランジ板１３と覆い材２４との間に配置される可撓管３０の端部は、屋根面に近い位置となり、カバー天面材２１より高い位置に突出することを少なくでき、風雨に対して可撓管３０を保護しやすく、またケーブル３１を伝って雨水が流入することを防止できる。
図２０から図２２に示すように、本実施例による片流れ屋根用のケーブル引込ユニットは、基台１０を棟包１の外表面に当接させ、基台１０の上方にカバー２０を配置するもので、棟包１の上方に配置するため、金属屋根やスレート屋根のように異なる種類の屋根に対応させることができる。
【００４６】
図２３は、本発明の他の実施例による太陽電池等のケーブル引込ユニットの要部断面図である。なお、上記実施例と同一構成については図示を省略し、異なる点だけを以下に説明する。また、ケーブル３１は省略して図示していない。図２３（ａ）は０．５寸勾配の屋根に適用した状態を、図２３（ｂ）は６．５寸勾配の屋根に適用した状態を示している。
本実施例による太陽電池等のケーブル引込ユニットは、基台側ケーブル把持部材１６として、外側基台側ケーブル把持部材１６ａと、内側基台側ケーブル把持部材１６ｂとを設けている。
外側基台側ケーブル把持部材１６ａは基台基板１１の下端側に設け、内側基台側ケーブル把持部材１６ｂはケーブル導入用開口１４側に設けている。
また、カバー側ケーブル把持部材２６ｃは、外側基台側ケーブル把持部材１６ａに対向する位置に配置している。
このように、外側基台側ケーブル把持部材１６ａとカバー側ケーブル把持部材２６ｃとによってケーブルを挟み込んで、ケーブル周りの空隙を少なくし、更に内側基台側ケーブル把持部材１６ｂによってケーブルを上方に位置させることで、外側基台側ケーブル把持部材１６ａとカバー側ケーブル把持部材２６ｃとの間から侵入する雨水がケーブルに沿ってケーブル導入用開口１４に至ることを防ぐことができる。
【００４７】
ケーブルを押さえ込んだ状態では、内側基台側ケーブル把持部材１６ｂの高さ寸法は、外側基台側ケーブル把持部材１６ａの高さ寸法より大きくしている。
このように、内側基台側ケーブル把持部材１６ｂの高さ寸法を、外側基台側ケーブル把持部材１６ａの高さ寸法より大きくすることで、外側基台側ケーブル把持部材１６ａとカバー側ケーブル把持部材２６ｃとの間から侵入する雨水がケーブルに沿ってケーブル導入用開口１４に至ることを防ぐことができる。
また、ケーブルを挟み込んだ状態では、カバー側ケーブル把持部材２６ｃの高さ寸法は、外側基台側ケーブル把持部材１６ａの高さ寸法より大きくしている。
このように、ケーブルを覆い材２４側では基台基板１１側に近接させることで、雨水がケーブルに沿ってケーブル導入用開口１４に至ることを防ぐことができる。
【００４８】
カバー側ケーブル把持部材２６ｃの奥行き寸法ｗｃは、外側基台側ケーブル把持部材１６ａの奥行き寸法ｗａより大きくしている。
このように、カバー側ケーブル把持部材２６ｃと外側基台側ケーブル把持部材１６ａとの内側基台側ケーブル把持部材１６ｂ側挟み込み位置と、内側基台側ケーブル把持部材１６ｂとの距離ｗを一定に維持した状態で、勾配の異なる屋根に対応することができる。
そして、距離ｗを一定に維持することで、勾配の異なる屋根に対して止水性能を維持することができる。
【００４９】
なお、外側基台側ケーブル把持部材１６ａ及び内側基台側ケーブル把持部材１６ｂは、基台基板１１に直接取り付けても、他の部材を介して基台基板１１に間接的に取り付けてもよく、カバー側ケーブル把持部材２６は、カバー天面材２１に直接取り付けても、他の部材を介してカバー天面材２１に間接的に取り付けてもよい。
【００５０】
図２４は、本発明の更に他の実施例による太陽電池等のケーブル引込ユニットの要部断面図である。なお、上記実施例と同一構成については図示を省略し、異なる点だけを以下に説明する。図２４（ａ）は、外側基台側ケーブル把持部材、内側基台側ケーブル把持部材、及びカバー側ケーブル把持部材が無負荷の状態を示す要部断面図、図２４（ｂ）はケーブル無しの負荷状態を示す要部断面図、図２４（ｃ）はケーブルを挟み込んだ負荷状態を示す要部断面図、図２４（ｄ）は図２４（ｃ）のＡ−Ａ線及びＢ−Ｂ線断面図、図２４（ｅ）は図２４（ｃ）のＣ−Ｃ線断面図である。
【００５１】
ケーブル３１の直径をｃ、基台基板１１からカバー天面材２１までの内面高さ寸法をｈ、外側基台側ケーブル把持部材１６ａの無負荷状態での高さ寸法をｈａ、内側基台側ケーブル把持部材１６ｂの無負荷状態での高さ寸法をｈｂ、カバー側ケーブル把持部材２６ｃの無負荷状態での高さ寸法をｈｃとした場合に、本実施例による太陽電池等のケーブル引込ユニットは、ｈａをｈの１／４以上で５／４以下の範囲の寸法とし、ｈｂを（ｈ−ｃ）以上で（ｈ−ｃ）×４以下の範囲の寸法とし、ｈｃをｈの２／４以上で１０／４以下の範囲の寸法としている。なお、（ｈａ＋ｈｃ）はｈ以上の寸法とすることが好ましい。
【００５２】
図２４（ａ）に示す、外側基台側ケーブル把持部材１６ａの高さ寸法ｈａ、内側基台側ケーブル把持部材１６ｂの高さ寸法ｈｂ、カバー側ケーブル把持部材２６ｃの高さ寸法ｈｃは、図２４（ｂ）に示すように、ケーブル無しの負荷状態では、外側基台側ケーブル把持部材１６ａの高さ寸法ｈａｐ１、内側基台側ケーブル把持部材１６ｂの高さ寸法ｈｂｐ１、カバー側ケーブル把持部材２６ｃの高さ寸法ｈｃｐ１となり、図２４（ｃ）に示すように、ケーブル有りの負荷状態では、外側基台側ケーブル把持部材１６ａの高さ寸法ｈａｐ２、内側基台側ケーブル把持部材１６ｂの高さ寸法ｈｂｐ２、カバー側ケーブル把持部材２６ｃの高さ寸法ｈｃｐ２となる。ここで、ｈｂｐ１は、基台基板１１からカバー天面材２１までの内面高さ寸法ｈと等しく、ｈａｐ１＋ｈｃｐ１についても、基台基板１１からカバー天面材２１までの内面高さ寸法ｈと等しい。また、ｈｂｐ２＝ｈ−ｃ、ｈａｐ２＋ｈｃｐ２＝ｈ−ｃとなる。
【００５３】
ｈａ、ｈｂ、及びｈｃをこのように設定することで、ケーブル導入用開口１４に至る雨水を確実に遮断できる。
なお、ケーブル３１の直径ｃを８ｍｍ、基台基板１１からカバー天面材２１までの内面高さｈを２０ｍｍとし、外側基台側ケーブル把持部材１６ａ、内側基台側ケーブル把持部材１６ｂ、及びカバー側ケーブル把持部材２６ｃとしてＥＰＤＭゴムを用いた場合には、ｈａを５ｍｍ〜１５ｍｍ、ｈｃを１５ｍｍ〜３０ｍｍとしてｈｂを２０ｍｍ〜４０ｍｍとすることが好ましく、ｈａを１０ｍｍ、ｈｃを２５ｍｍとしてｈｂを２５ｍｍとすることが更に好ましい。
【００５４】
図２５は、本発明の更に他の実施例による太陽電池等のケーブル引込ユニットの要部断面図である。なお、上記実施例と同一構成については図示を省略し、異なる点だけを以下に説明する。図２５（ａ）は、外側基台側ケーブル把持部材、内側基台側ケーブル把持部材、及びカバー側ケーブル把持部材が無負荷の状態を示す要部断面図、図２５（ｂ）はケーブル無しの負荷状態を示す要部断面図、図２５（ｃ）はケーブルを挟み込んだ負荷状態を示す要部断面図、図２５（ｄ）は図２５（ｃ）のＡ−Ａ線断面図、図２５（ｅ）は図２５（ｃ）のＢ−Ｂ線断面図、図２５（ｆ）は図２５（ｃ）のＣ−Ｃ線断面図である。
【００５５】
本実施例による太陽電池等のケーブル引込ユニットは、カバー側ケーブル把持部材２６として、外側カバー側ケーブル把持部材２６ｄと、内側カバー側ケーブル把持部材２６ｅとを設けている。外側カバー側ケーブル把持部材２６ｄはカバー天面材２１の下端側に設け、内側カバー側ケーブル把持部材２６ｅはケーブル導入用開口１４側に設けている。
また、外側カバー側ケーブル把持部材２６ｄはスリットの無い発泡弾性部材で形成し、内側カバー側ケーブル把持部材２６ｅは複数のスリットの有る発泡弾性部材で形成している。
外側基台側ケーブル把持部材１６ａ及び内側基台側ケーブル把持部材１６ｂは、外側カバー側ケーブル把持部材２６ｄと同様にスリットの無い発泡弾性部材で形成している。
【００５６】
図２５（ａ）に示す、外側基台側ケーブル把持部材１６ａの高さ寸法ｈａ、内側基台側ケーブル把持部材１６ｂの高さ寸法ｈｂ、外側カバー側ケーブル把持部材２６ｄの高さ寸法ｈｄ、内側カバー側ケーブル把持部材２６ｅの高さ寸法ｈｅは、図２５（ｂ）に示すように、ケーブル無しの負荷状態では、外側基台側ケーブル把持部材１６ａの高さ寸法ｈａｐ１、内側基台側ケーブル把持部材１６ｂの高さ寸法ｈｂｐ１、外側カバー側ケーブル把持部材２６ｄの高さ寸法ｈｄｐ１、内側カバー側ケーブル把持部材２６ｅの高さ寸法ｈｅｐ１となり、図２５（ｃ）に示すように、ケーブル有りの負荷状態では、外側基台側ケーブル把持部材１６ａの高さ寸法ｈａｐ２、内側基台側ケーブル把持部材１６ｂの高さ寸法ｈｂｐ２、外側カバー側ケーブル把持部材２６ｄの高さ寸法ｈｄｐ２、内側カバー側ケーブル把持部材２６ｅの高さ寸法ｈｅｐ２となる。ここで、ｈｂｐ１は、基台基板１１からカバー天面材２１までの内面高さ寸法ｈと等しく、ｈａｐ１＋ｈｄｐ１、及びｈａｐ１＋ｈｅｐ１についても、基台基板１１からカバー天面材２１までの内面高さ寸法ｈと等しい。また、ｈｂｐ２＝ｈ−ｃ、ｈａｐ２＋ｈｄｐ２＝ｈ−ｃ、ｈａｐ２＋ｈｅｐ２＝ｈ−ｃとなる。
このように、外環境の影響を受けやすい覆い材２４側では耐久性の高い止水性を維持し、ケーブル導入用開口１４側では隙間を確実に無くすことができる。
【００５７】
図２６は、本発明の更に他の実施例による太陽電池等のケーブル引込ユニットのカバーを上方から見た要部斜視図である。なお、上記実施例と同一構成については図示を省略し、異なる点だけを以下に説明する。
本実施例による太陽電池等のケーブル引込ユニットは、カバー側面材２３には、カバー天面材２１の下端２１ａから所定距離ｋを有する位置に、一対の横方向スリット２５ｃを設け、一対の縦方向スリット２５ｂの上端を、一対の横方向スリット２５ｃの側方端部に連続して設けている。
横方向スリット２５ｃの側方端部を中央端部より低位置として、一対の横方向スリット２５ｃは、カバー天面材２１の下端２１ａに対してそれぞれ傾斜して設けている。
【００５８】
このように、一対の縦方向スリット２５ｂの間のカバー側面材２３を折り曲げることで形成される覆い材２４は、カバー天面材２１の下端２１ａから所定距離ｋを有する位置に形成され、覆い材２４とカバー天面材２１の下端２１ａとの間には所定距離ｋのカバー側面材２３が残存するため、ケーブル３１からの反力によってカバー天面材２１が変形することを防止でき、止水性を高めることができる。
また、カバー天面材２１から流れ落ちる雨水は、横方向スリット２５ｃの傾斜に沿って覆い材２４から離間する方向に流れるため、ケーブル３１からの雨水の侵入を少なくできる。また、本実施例によれば、横方向スリット２５ｃによって覆い材２４の両端部を折り曲げて用いる場合には、覆い材２４の両端部のカバー側面材２３側の辺（横方向スリット２５ｃによって形成される側辺）が、カバー側面材２３の面に平行となることで覆い材２４の覆い面が下方に傾斜するため、カバー天面材２１から覆い材２４に流れる雨水をスムーズに落下させることができる。
なお、一対の縦方向スリット２５ｂの間隔を、一対の支持板１５（図５参照）の間隔よりも狭くしている。
このように、覆い材２４を形成することで生じる隙間を狭くでき止水性を高めることができる。
【産業上の利用可能性】
【００５９】
本発明による太陽電池等のケーブル引込ユニットは、金属屋根であってもスレート屋根であっても、また両流れ屋根であっても片流れ屋根であっても、更には勾配の異なる屋根であっても施工することができる。
【符号の説明】
【００６０】
１  棟包
２  垂木
３  野地板
４  屋根材（金属立平）
５  頂部隙間
５Ｗ  稜線方向隙間寸法
６  角材
７  貫板
８  屋根下葺き材
９  棟木
１０  基台
１１  基台基板
１１Ｘ  第１基台基板
１１Ｙ  第２基台基板
１１Ｚ  基台基板折り曲げ部
１２  基台側板
１３  基台フランジ板
１４  ケーブル導入用開口
１５  支持板
１５ａ  接続板
１５ｂ  開口補強部
１５Ｘ  第１支持板
１５Ｙ  第２支持板
１５ＸＺ  第１支持板端面
１５ＹＺ  第２支持板端面
１６  基台側ケーブル把持部材
１６ａ  外側基台側ケーブル把持部材
１６ｂ  内側基台側ケーブル把持部材
１７  弾性材
１８  垂下板材
２０  カバー
２１  カバー天面材
２１ａ  下端
２１Ｘ  第１カバー天面材
２１Ｙ  第２カバー天面材
２１Ｚ  カバー天面材折り曲げ部
２２  カバー壁面材
２２Ｘ  第１カバー壁面材
２２Ｙ  第２カバー壁面材
２２ＸＺ  第１カバー壁面端面
２２ＹＺ  第２カバー壁面端面
２３  カバー側面材
２３Ｘ  第１カバー側面材
２３Ｙ  第２カバー側面材
２４  覆い材
２５  Ｌ字型スリット
２５ａ  横方向スリット
２５ｂ  縦方向スリット
２５ｃ  横方向スリット
２６  カバー側ケーブル把持部材
２６ａ  外側カバー側ケーブル把持部材
２６ｂ  内側カバー側ケーブル把持部材
２６ｃ  カバー側ケーブル把持部材
２６ｄ  外側カバー側ケーブル把持部材
２６ｅ  内側カバー側ケーブル把持部材
２７  弾性板材
２８  長孔
３０  可撓管
３１  ケーブル
４０  捨水切
５０  破風板のみ込み板材
５１  破風下地固定板材
５２  連接板材
５３  垂下固定板材
５４  ビス
６１  破風下地
６２  破風板
ｃ  直径
ｈ  内面高さ寸法
ｈａ  外側基台側ケーブル把持部材の高さ寸法
ｈｂ  内側基台側ケーブル把持部材の高さ寸法
ｈｃ  カバー側ケーブル把持部材の高さ寸法
ｈｄ  外側カバー側ケーブル把持部材の高さ寸法
ｈｅ  内側カバー側ケーブル把持部材の高さ寸法
ｋ  所定距離
ｗ  距離
ｗａ  外側基台側ケーブル把持部材奥行き寸法
ｈａｐ１  外側基台側ケーブル把持部材の高さ寸法
ｈｂｐ１  内側基台側ケーブル把持部材の高さ寸法
ｈｃｐ１  カバー側ケーブル把持部材の高さ寸法
ｈｄｐ１  外側カバー側ケーブル把持部材の高さ寸法
ｈｅｐ１  内側カバー側ケーブル把持部材の高さ寸法
ｈａｐ２  外側基台側ケーブル把持部材の高さ寸法
ｈｂｐ２  内側基台側ケーブル把持部材の高さ寸法
ｈｃｐ２  カバー側ケーブル把持部材の高さ寸法
ｈｄｐ２  外側カバー側ケーブル把持部材の高さ寸法
ｈｅｐ２  内側カバー側ケーブル把持部材の高さ寸法
ｗｃ  カバー側ケーブル把持部材の奥行き寸法
【図１】
2018053707.tif 000003
【図２】
2018053707.tif 000004
【図３】
2018053707.tif 000005
【図４】
2018053707.tif 000006
【図５】
2018053707.tif 000007
【図６】
2018053707.tif 000008
【図７】
2018053707.tif 000009
【図８】
2018053707.tif 000010
【図９】
2018053707.tif 000011
【図１０】
2018053707.tif 000012
【図１１】
2018053707.tif 000013
【図１２】
2018053707.tif 000014
【図１３】
2018053707.tif 000015
【図１４】
2018053707.tif 000016
【図１５】
2018053707.tif 000017
【図１６】
2018053707.tif 000018
【図１７】
2018053707.tif 000019
【図１８】
2018053707.tif 000020
【図１９】
2018053707.tif 000021
【図２０】
2018053707.tif 000022
【図２１】
2018053707.tif 000023
【図２２】
2018053707.tif 000024
【図２３】
2018053707.tif 000025
【図２４】
2018053707.tif 000026
【図２５】
2018053707.tif 000027
【図２６】
2018053707.tif 000028